(57)【要約】【課題】カット紙プリンタで個々の内容が異なる印刷物の印刷を行う際，印刷物の印刷枚数と重複を管理できるシステムを提供する。【解決手段】カット紙プリンタの出力管理システム１は，管理コードをエンコードした光学式マーク３を印刷するカット紙プリンタ２と，印刷物３aに印刷された光学式マーク３から管理コードを光学的に読み取る光学式マークリーダ１１と，光学式マークリーダ１１から管理コードが入力されるプリンタ制御装置１０とから少なくとも構成される。プリンタ制御装置１０の出力管理手段１００は，光学式マークリーダ１１から受信した管理コードが，出力管理ファイル１０５に既に記憶されている管理コードと重複している場合，この管理コードに重複フラグを付加して出力管理ファイル１０５に記憶する。【選択図】図１
2014200953.tif 000002
【特許請求の範囲】
【請求項１】
印刷物毎でユニークな管理コードをエンコードした光学式マークをカット紙に印刷するカット紙プリンタと，
前記カット紙プリンタが出力する印刷物に印刷された光学式マークから，前記管理コードを光学的に読み取る光学式マークリーダと，
前記光学式マークリーダから前記管理コードが入力されるプリンタ制御装置とから少なくとも構成され，
前記プリンタ制御装置は，前記光学式マークリーダから前記管理コードを受信すると，印刷枚数をカウントする印刷枚数カウンタをインクリメントすると共に，前記管理コードを受信した日時を付加して前記管理コードを出力管理ファイルに記憶する出力管理手段を備え，前記出力管理手段は，前記光学式マークリーダから受信した前記管理コードを前記出力管理ファイルに記憶する前に，この前記管理コードと同一の前記管理コードを前記出力管理ファイルから検索し，この前記管理コードを検索できたときは，前記出力管理ファイルに記憶する前記管理コードに重複フラグを付加する，
ことを特徴とするカット紙プリンタの出力管理システム。
【請求項２】
前記プリンタ制御装置の前記出力管理手段は，品目の終了を示すリセット信号が入力されると，重複フラグが付加された前記管理コードを前記出力管理ファイルから検索し，検索結果を表示することを特徴とする，請求項１に記載したカット紙プリンタの出力管理システム。
【発明の詳細な説明】
【技術分野】
【０００１】
本発明は，カット紙プリンタにて印刷した印刷物の重複を管理する技術に関する。
【背景技術】
【０００２】
ダイレクトメール等の個々の内容が異なる印刷物の印刷を請け負う印刷会社には，印刷物の員数管理が要求される。規格寸法に裁断したカット紙に印刷するカット紙プリンタで印刷を行う際は，カット紙プリンタ内の搬送経路に設けたセンサでカット紙の通過を検知して印刷枚数をカウントし，作業者が，印刷枚数から不良枚数を減算することで，印刷物の員数を人手で算出する。なお，特許文献１では，印刷物の員数の確認作業を自動化する発明が開示されている。
【０００３】
チラシのように，印刷物の内容が同一ならば員数管理だけで事足りるが，ダイレクトメールのように，個々の内容が異なる印刷物では，員数管理に加えて，印刷物の重複の管理が必要となる。例えば，欠落している印刷物，すなわち，印刷していない印刷物の数と，過剰に印刷された印刷物，すなわち，重複して印刷した印刷物の数が同数であれば，重複があるにもかかわらず，印刷物の員数は正常数になってしまう。
【０００４】
個々の内容が異なる印刷物の重複は，特許文献２で開示されているように，封入封緘時の検査で検査可能であるが，印刷物の欠落がある場合，印刷係りでは，欠落した印刷物のみの印刷を行わなければならず，印刷係でも，印刷物の員数に加え印刷物の重複を管理できることが望ましい。
【先行技術文献】
【特許文献】
【０００５】
【特許文献１】特開２０００−２１５２９７号公報
【特許文献２】特開２０１１−１６１４２２号公報
【発明の概要】
【発明が解決しようとする課題】
【０００６】
そこで，本発明は，カット紙プリンタで個々の内容が異なる印刷物の印刷を行う際，印刷物の印刷枚数と重複を管理できるシステムを提供する。
【課題を解決するための手段】
【０００７】
上述した課題を解決する本発明は，印刷物毎でユニークな管理コードをエンコードした光学式マークをカット紙に印刷するカット紙プリンタと，前記カット紙プリンタが出力する印刷物に印刷された光学式マークから，前記管理コードを光学的に読み取る光学式マークリーダと，前記光学式マークリーダから前記管理コードが入力されるプリンタ制御装置とから少なくとも構成され，前記プリンタ制御装置は，前記光学式マークリーダから前記管理コードを受信すると，印刷枚数をカウントする印刷枚数カウンタをインクリメントすると共に，前記管理コードを受信した日時を付加して前記管理コードを出力管理ファイルに記憶する出力管理手段を備え，前記出力管理手段は，前記光学式マークリーダから受信した前記管理コードを前記出力管理ファイルに記憶する前に，この前記管理コードと同一の前記管理コードを前記出力管理ファイルから検索し，この前記管理コードを検索できたときは，前記出力管理ファイルに記憶する前記管理コードに重複フラグを付加することを特徴とするカット紙プリンタの出力管理システムである。
【０００８】
更に，第１の発明は，第２の発明に記載したカット紙プリンタの出力管理システムにおいて，品目が終了したときに，印刷物の重複の有無を作業者に通知できるように，前記プリンタ制御装置の前記出力管理手段は，品目の終了を示すリセット信号が入力されると，重複フラグが付加された前記管理コードを前記出力管理ファイルから検索し，検索結果を表示することを特徴とする。
【発明の効果】
【０００９】
このように，本発明のカット紙プリンタの出力管理システムによれば，プリンタ制御装置の出力管理手段が，光学式マークリーダから管理コードを受信した際，印刷枚数カウンタをインクリメントすることで，印刷物の印刷枚数を管理できる。また，プリンタ制御装置の出力管理手段が，光学式マークリーダ１１から受信した管理コードが，出力管理ファイル１０５に既に記憶されている管理コードと重複している場合，この管理コードに重複フラグを付加して出力管理ファイル１０５に記憶することで，印刷物の重複を管理できる。
【図面の簡単な説明】
【００１０】
【図１】カット紙プリンタの出力管理システムの構成を説明する図。
【図２】印刷物に印刷する光学式マークを説明する図。
【図３】プリンタ制御装置のブロック図。
【発明を実施するための形態】
【００１１】
ここから，本発明の好適な実施形態を記載する。なお，以下の記載は本発明の範囲を束縛するものでなく，理解を助けるために記述するものである。
【００１２】
図１は、本実施形態にかかるカット紙プリンタの出力管理システム１の構成を説明する図である。図１で図示したカット紙プリンタの出力管理システム１は，印刷物３a毎でユニークな管理コードをエンコードした光学式マーク３をカット紙に印刷するカット紙プリンタ２と，カット紙プリンタ２が出力する印刷物３aに印刷された光学式マーク３から，管理コードを光学的に読み取る光学式マークリーダ１１と，光学式マークリーダ１１から管理コードが入力されるプリンタ制御装置１０とから少なくとも構成される。
【００１３】
図２は，カット紙プリンタ２が印刷する光学式マーク３を説明する図である。本実施形態において，光学式マーク３は，カット紙プリンタ２により印刷物３ａの所定位置に印刷される。図２では，光学式マーク３の形態を１次元バーコードとし，光学式マーク３を印刷物３ａの先頭の左側に印刷しているが，光学式マーク３の形態は，２次元バーコードやＯＣＲ文字などでもよく，また，光学式マーク３の印刷位置は図２の印刷位置に限定されない。
【００１４】
光学式マーク３には，カット紙プリンタ２が出力する印刷物３ａそれぞれでユニークな管理コードがエンコードされる。図２では，１次元バーコードの下の数字が管理コードで，印刷物３ａの品目を識別する品目コードとページ番号から管理コードを構成している。
【００１５】
ここから，カット紙プリンタの出力管理システム１を構成するプリンタ制御装置１０について説明する。プリンタ制御装置１０は，パーソナルコンピュータやサーバなどを利用して実現する装置で，図１に図示したように，品目が終了した際に作業者が操作するリセットボタン１２と，カット紙プリンタ２の印刷部２ａが出力する印刷物３ａから管理コードを読み取る光学式マークリーダ１１が接続されている。
【００１６】
プリンタ制御装置１０に接続された光学式マークリーダ１１は，カット紙プリンタ２が出力する印刷物３ａに印刷された光学式マーク３を読み取るために，カット紙プリンタ２の排出部２ａに設けられる装置で，光学式マーク３に対応したリーダになる。例えば，光学式マーク３の形態が１次元バーコードならば，光学式マークリーダ１１は１次元バーコード用のリーダになる。
【００１７】
光学式マークリーダ１１の検出位置は，カット紙プリンタ２の排出部２ａに排出された印刷物３ａから光学式マーク３を読み取れる位置に合わせられる。光学式マークリーダ１１は，カット紙プリンタ２から排紙部２ａに印刷物３ａが排出されたタイミングで，排紙部２ａに排出された印刷物３ａの光学式マーク３から管理コードを読み取り，読み取った管理コードをプリンタ制御装置１０へ送信する。
【００１８】
また，プリンタ制御装置１０に接続されたリセットボタン１２は，品目が終了したことを示すリセット信号をプリンタ制御装置１０に入力するためのボタンで，作業者がリセットボタン１２を操作すると，品目が終了したことを示すリセット信号がプリンタ制御装置１０に入力される。なお，リセットボタン１２は物理的なボタンでもよいが，ここでは，ソフトウェアによりリセットボタン１２を実現している。
【００１９】
図３は，プリンタ制御装置１０のブロック図である。プリンタ制御装置１０は，コンピュータプログラムによって実現する機能として，カット紙プリンタ２を制御する印刷制御手段１０１と，カット紙プリンタ２の出力を管理する出力管理手段１００を備え，更に，ハードディスクやメモリで構成されるデータ記憶装置１０２を備える。
【００２０】
このデータ記憶装置１０２には，品目にかかる印刷データを記憶する印刷ファイル１０３と，印刷枚数のカウントに利用する印刷枚数カウンタ１０４と，品目毎に設けられるファイルで，カット紙プリンタ２が出力した印刷物３ａから読み取った管理コードを記憶する出力管理ファイル１０５が保存される。
【００２１】
プリンタ制御装置１０の印刷制御手段１０１は，指定された品目の印刷を開始する際，データ記憶装置１０２に記憶された印刷ファイル１０３の中から，作業者が指定した品目の印刷ファイル１０３を読み出し，カット紙プリンタ２に送信することで，指定された品目の印刷を処理する。
【００２２】
プリンタ制御装置１０の出力管理手段１００は，光学式マークリーダ１１から管理コードを受信すると，カット紙プリンタ２が出力した印刷物３ａの印刷枚数を管理できるように，印刷枚数カウンタ１０４をインクリメントする。
【００２３】
更に，プリンタ制御装置１０の出力管理手段１００は，カット紙プリンタ２が出力した印刷物３ａを記録するために，光学式マークリーダ１１から管理コードを受信すると，管理コードを受信した日時を付加して管理コードを出力管理ファイル１０５に記憶する。なお，カット紙プリンタ２が出力した印刷物３ａの重複を管理できるように，プリンタ制御装置１０の出力管理手段１００は，光学式マークリーダ１１から受信した管理コードを出力管理ファイル１０５に記憶する前に，この管理コードと同一の管理コードを出力管理ファイル１０５から検索し，この管理コードを検索できたときは，出力管理ファイル１０５に記憶する管理コードに重複フラグを付加する。
【００２４】
また，プリンタ制御装置１０の出力管理手段１００は，品目が終了したときに，印刷物３ａの重複の有無を作業者に通知できるように，リセットボタン１２から品目の終了を示すリセット信号が入力されると，重複フラグが付加された管理コードを出力管理ファイル１０５から検索し，検索結果をディスプレイに表示する。
【符号の説明】
【００２５】
１    カット紙プリンタの出力管理システム
１０  プリンタ制御装置
１１  光学式マークリーダ
１２  リセットボタン
１００  出力管理手段
１０１  印刷制御手段
１０２  データ記憶装置
１０３  印刷ファイル
１０４  印刷枚数カウンタ
１０５  出力管理ファイル
２    カット紙プリンタ
２ａ  カット紙プリンタの排出部
３    光学式マーク
３ａ  印刷物
【図１】
2014200953.tif 000003
【図２】
2014200953.tif 000004
【図３】
2014200953.tif 000005